(57)【特許請求の範囲】
【請求項１】
被検査対象に放射線を照射して得られた被検査体の画像を処理して欠陥検査を行う装置
であって、
形状が既知の試料に放射線を照射して得られたアナログの放射線透過画像から変換した
デジタル画像を鮮鋭化処理するためのパラメータを求める画像処理パラメータ算出部と、
前記形状が既知の試料に放射線を照射して得られたアナログの放射線透過画像から変換
したデジタル画像を処理して該デジタル画像を鮮鋭化処理する形状既知試料のデジタル画
像鮮鋭化処理部と、
該形状既知試料のデジタル画像鮮鋭化処理部で鮮鋭化処理したデジタル画像から前記ア
ナログの放射線透過画像を推定して該推定したアナログの放射線透過画像に対する前記形
状既知試料のデジタル画像鮮鋭化処理部で鮮鋭化処理したデジタル画像の画像劣化度を推
定する画像劣化度推定部と、
被検査体に放射線を照射して得られたアナログの放射線透過画像から変換したデジタル
画像に対して前記画像処理パラメータ算出部で求めたデジタル画像を鮮鋭化処理するため
のパラメータを用いて鮮鋭化処理を施す鮮鋭化処理部と、
該鮮鋭化処理部で鮮鋭化処理を施した前記被検査体のデジタル画像を処理して前記被検
査体の欠陥を検出する欠陥検出部と
を備えたことを特徴とする放射線透過デジタル画像を用いた検査装置。
【請求項２】
前記形状既知試料のデジタル画像鮮鋭化処理部で鮮鋭化処理を施したデジタル画像の品質を等級付けするデジタル画像等級付部を更に備えたことを特徴とする請求項１記載の放射線透過デジタル画像を用いた検査装置。
【請求項３】
前記欠陥検出部は、
前記鮮鋭化処理部で鮮鋭化した前記被試験体のデジタル画像に対して欠陥を顕在化させる
ための処理を行う欠陥顕在化処理部と、
該欠陥顕在化処理部で処理した前記デジタル画像から欠陥を抽出して該抽出した欠陥の
特徴量を算出する欠陥キャラクタライズ処理部と
を有することを特徴とする請求項１記載の放射線透過デジタル画像を用いた検査装置。
【請求項４】
被検査対象に放射線を照射して得られた被検査体の画像を処理して欠陥検査を行う装置
であって、
形状が既知の試料に放射線を照射して得られたアナログの放射線透過画像から変換した
デジタル画像を入力する入力部と、
該入力した形状が既知の試料のデジタル画像を処理して該デジタル画像を鮮鋭化処理する
デジタル画像鮮鋭化処理部と、
該デジタル画像鮮鋭化処理部で鮮鋭化処理した形状が既知の試料のデジタル画像から前
記アナログの放射線透過画像を推定して該推定したアナログの放射線透過画像に対する前
記デジタル画像鮮鋭化処理部で鮮鋭化処理したデジタル画像の画像劣化度を推定する画像
劣化度推定部と、
前記デジタル画像鮮鋭化処理部で鮮鋭化処理を施したデジタル画像の品質を等級付けする
デジタル画像等級付部と
被検査試料に放射線を照射して得られた被検査体のアナログの放射線透過画像から変換し
た前記被検査体のデジタル画像を、前記デジタル画像等級付部で合格の等級をつけたデジ
タル画像を鮮鋭化処理した条件を用いて鮮鋭化処理したデジタル画像を処理して欠陥を検
出する欠陥検出部と
を備えたことを特徴とする放射線透過デジタル画像を用いた検査装置。
【請求項５】
前記欠陥検出部は、鮮鋭化処理を施した前記被検査体のデジタル画像を処理して欠陥を
顕在化させて該欠陥を顕在化させたデジタル画像から欠陥を検出することを特徴とする請
求項４記載の放射線透過デジタル画像を用いた検査装置。
【請求項６】
被検査対象に放射線を照射して得られた被検査体の画像を処理して欠陥検査を行う方法
であって、
形状が既知の試料に放射線を照射して得られたアナログの放射線透過画像から変換した
デジタル画像を鮮鋭化処理するためのパラメータを求め、
前記形状が既知の試料に放射線を照射して得られたアナログの放射線透過画像から変換
したデジタル画像を処理して該デジタル画像を鮮鋭化処理し、
該鮮鋭化処理した形状既知試料のデジタル画像から前記アナログの放射線透過画像を推
定して該推定したアナログの放射線透過画像に対する前記鮮鋭化処理した形状既知試料の
デジタル画像の画像劣化度を推定し、
被検査体に放射線を照射して得られたアナログの放射線透過画像から変換したデジタル
画像に対して前記求めたデジタル画像を鮮鋭化処理するためのパラメータを用いて鮮鋭化
処理を施し、
該鮮鋭化処理を施した前記被検査体のデジタル画像を処理して前記被検査体の欠陥を検
出する
ことを特徴とする放射線透過デジタル画像を用いた検査方法。
【請求項７】
前記鮮鋭化処理を施した形状既知試料のデジタル画像の品質を等級付けをすることを更に行うことを特徴とする請求項６記載の放射線透過デジタル画像を用いた検査方法。
【請求項８】
前記欠陥を検出することを、
前記鮮鋭化した前記被試験体のデジタル画像に対して欠陥を顕在化させるための欠陥顕在
化処理を行い、
該欠陥顕在化処理を行った前記デジタル画像から欠陥を抽出して該抽出した欠陥の特徴
量を算出する
ことにより行うことを特徴とする請求項６又は７に記載の放射線透過デジタル画像を用いた検査方法。
【請求項９】
被検査対象に放射線を照射して得られた被検査体の画像を処理して欠陥検査を行う方法
であって、
形状が既知の試料に放射線を照射して得られたアナログの放射線透過画像から変換した
デジタル画像を入力し、
該入力した形状が既知の試料のデジタル画像を処理して該デジタル画像を鮮鋭化処理し、
該鮮鋭化処理した形状が既知の試料のデジタル画像から前記アナログの放射線透過画像
を推定して該推定したアナログの放射線透過画像に対する前記鮮鋭化処理したデジタル画
像の画像劣化度を推定し、
前記鮮鋭化処理を施したデジタル画像の品質を等級付けし、
被検査試料に放射線を照射して得られた被検査体のアナログの放射線透過画像から変換し
た前記被検査体のデジタル画像を、前記デジタル画像の品質の等級付けにより合格の等級
をつけたデジタル画像を鮮鋭化処理した条件を用いて鮮鋭化処理したデジタル画像を処理
して欠陥を検出する
ことを特徴とする放射線透過デジタル画像を用いた検査方法。
【請求項１０】
前記欠陥を検出することを、前記鮮鋭化処理を施した前記被検査体のデジタル画像を処
理して欠陥を顕在化させて該欠陥を顕在化させたデジタル画像から欠陥を検出することを
特徴とする請求項９記載の放射線透過デジタル画像を用いた検査方法。
【発明の詳細な説明】
【技術分野】
【０００１】
本発明は、コンピューテッド・ラジオグラフィ（以下、ＣＲと記載）などにより得られる放射線透過画像を用いた原子力プラントの配管検査技術に関し、特に、放射線透過デジタル画像を用いた検査方法及びその装置に関する。特に、ＣＲにより得られた対象物（被検査物）の画像の検査・診断等のために当該画像の品質（画質）を従来のフィルム像と同等レベルに改善する技術に関する。また特に、改善した画像を用いた検査支援技術に関する。
【背景技術】
【０００２】
例えば原子力プラントの製造現場や医療の現場では、放射線透過試験（Radiographic Testing、以下ＲＴと記載）・診断等が行われている。ＲＴは、従来、放射線検出装置を用いて対象物に対して放射線を透過して得られたフィルム像（アナログ像）を検査員が目視確認することにより不良部（欠陥・疾患等）などを判定・検出していた。
【０００３】
しかし、近年は、ＣＲに代表されるデジタイザが開発されており、デジタイザにより得られたデジタル像（画像）を検査員が目視確認するデジタルＲＴへと移行してきている。デジタル像の目視検査は、操作性や保管・検索のしやすさ等の観点で優位である。
【０００４】
更に今後は、上記デジタル像を対象としたデータ処理（画像解析処理等）により、人の目視に頼らない自動検査・診断等が加速するものと考えられている。
【０００５】
ここで、上記のようなフィルム像からデジタル像による検査への移行で問題となるのが、アナログからデジタルへの変換に伴う画質（品質）の劣化である。デジタル画像を用いることにより、従来のフィルム像の目視判定では検出できていた微小な欠陥などが検出できなくなる可能性がある。
【０００６】
このため、例えば原子力プラントの配管の放射線透過試験（非破壊検査）に使用する対象の画像（検査画像）については、ＣＲなどから得られたデジタル画像の画質（品質）を、フィルム像と同等レベルに改善する方式の必要性が生じている。更に、目視検査の支援にデジタル画像を活用する場合、フィルム像以上のレベルに改善し、より欠陥を検出しやすい画像にすることが重要となる。
【０００７】
上記のような、欠陥の検査などに用いるデジタル像の画質改善の手法としては、特許文献１において記載されているように、走査型荷電粒子顕微鏡装置を対象として、複数の撮像条件下で取得した画像からそれぞれの劣化関数を生成し、これらの画像及び劣化関数を用いて分解能を向上させた画像を生成し、欠陥の検査に用いる手法がある。また、放射線画像を用いた検査手法としては、特許文献２において記載されているように、連続して撮像した放射線透過画像を積分処理することでノイズを除去した画像を生成し、ユーザが指示した位置の欠陥の寸法を示す手法がある。
【先行技術文献】
【特許文献】
【０００８】
【特許文献１】特開２０１０−６２１０６号公報
【特許文献２】特開２０００−１８０３８７号公報
【発明の概要】
【発明が解決しようとする課題】
【０００９】
しかし、上記に示したような従来技術では原子力プラントの放射線透過試験に使用する画像を改善できない。例えば、原子力プラントの放射線透過試験においては、特許文献１の画質改善手法のように、１つの検査対象物に対して複数の撮像条件下で画像を取得することはコストや段取り時間などを鑑みると困難である。また、配管径や配管の厚みに応じて要求される欠陥を検出できる撮像条件が決まるため、複数の撮像条件で画像を得ることに意味がない。また、特許文献２はノイズを除去するに留まり、デジタル化により劣化した画像を従来の目視検査に用いていたフィルム像と同等レベルまで改善することはできない。
【００１０】
上述の通り、フィルム像による目視検査からデジタル画像による検査へと移行する場合、デジタル画像は、フィルム像と同等の画質を保持している必要がある。このため、現状と同じ撮像条件下で取得したデジタル画像がフィルム像と同等となるように改善され、かつそれが定量的に示されることが求められている。
【００１１】
そこで本発明は、上記原子力プラントの配管などを対象とした放射線透過試験におけるデジタル画像を用いた検査方法及びその装置に関し、（１）デジタル画像の品質（画質）をフィルム像と同等となるように改善する技術、（２）フィルム像に対するデジタル画像の画質を定量的に算出する技術、（３）デジタル画像から欠陥を顕在化する技術、（４）欠陥の濃度や寸法、欠陥の種類などを定量的に算出する技術、を提供するものである。
【課題を解決するための手段】
【００１２】
上記の課題を解決するため、本発明においては、デジタル画像を、フィルム像と同等の画質に復元するために、ノイズ抑制と高解像度化からなる画像鮮鋭化処理を施すようにした。ここで、画像鮮鋭化処理に用いるパタメータの最適化を、形状が既知な透過度計を用いて行う。また、デジタイザの品質を定量的に保証するために、鮮鋭化したデジタル画像と、鮮鋭化前の画像の特徴を比較してその差を定量化する。更に、目視検査の支援、もしくは、欠陥の抽出とキャラクタライズを自動で行う自動検査のために、デジタイザの品質を保証する際に最適化した画像鮮鋭化処理に用いるパラメータ値を被検査試料の画像に適用するようにした。
【００１３】
即ち、上記課題を解決するために、本発明では、被検査対象に放射線を照射して得られ
た被検査体の画像を処理して欠陥検査を行う方法及びその装置において、形状が既知の試
料に放射線を照射して得られたアナログの放射線透過画像から変換したデジタル画像を鮮
鋭化処理するためのパラメータを求め、形状が既知の試料に放射線を照射して得られたアナログの放射線透過画像から変換したデジタル画像を処理してデジタル画像を鮮鋭化処理し、この鮮鋭化処理した形状既知試料のデジタル画像からアナログの放射線透過画像を推定してこの推定したアナログの放射線透過画像に対する鮮鋭化処理した形状既知試料のデジタル画像の画像劣化度を推定し、被検査体に放射線を照射して得られたアナログの放射線透過画像から変換したデジタル画像に対して求めたデジタル画像を鮮鋭化処理するためのパラメータを用いて鮮鋭化処理を施し、この鮮鋭化処理を施した被検査体のデジタル画像を処理して被検査体の欠陥を検出するようにした。
【００１４】
また、上記課題を解決するために、本発明では、被検査対象に放射線を照射して得られた被検査体の画像を処理して欠陥検査を行う方法及びその装置において、形状が既知の試料に放射線を照射して得られたアナログの放射線透過画像から変換したデジタル画像を入力し、この入力した形状が既知の試料のデジタル画像を処理してこのデジタル画像を鮮鋭化処理し、鮮鋭化処理した形状が既知の試料のデジタル画像からアナログの放射線透過画像を推定してこの推定したアナログの放射線透過画像に対する鮮鋭化処理したデジタル画像の画像劣化度を推定し、鮮鋭化処理を施したデジタル画像の品質を等級付けし、被検査試料に放射線を照射して得られた被検査体のアナログの放射線透過画像から変換した被検査体のデジタル画像を、前記デジタル画像の品質の等級付けにより合格の等級をつけたデジタル画像を鮮鋭化処理した条件を用いて鮮鋭化処理したデジタル画像を処理して欠陥を検出するようにした。
【発明の効果】
【００１５】
本発明によれば、上記デジタル画像を用いた品質評価・検査などの技術において、従来のフィルム像の目視検査と同等の欠陥検出性能を有する、当該デジタル画像を生成し、デジタル画像による目視検査や、目視検査支援が実現できるようになった。これにより、上記デジタル画像を用いてフィルム像に対するデジタル像の品質の相対的な評価値などを自動的に計算・出力することができるようになり、自動検査・診断等を実現でき、検出した欠陥をキャラクタライズできる等の効果を得られるようになった。
【図面の簡単な説明】
【００１６】
放射線透過デジタル画像を用いた検査方法及びその装置
【図１Ａ】本発明の一実施の形態における放射線透過デジタル画像を用いた検査装置の全体構成を示すブロック図である。
【図１Ｂ】本発明の一実施の形態における放射線透過デジタル画像を用いた検査方法の処理の流れを示すフロー図である。
【図２】放射線透過によるフィルム像の撮像の一例を示すＸ線源と試料とフィルムの側面図である。
【図３】本発明の一実施の形態において用いる２種類の透過度計の平面図である。
【図４】本発明の一実施の形態において用いるデジタル画像の品質を等級付けするためのテーブルの一例を示す図である。
【図５】本発明の一実施の形態において画像の空間分解能を算出する方法説明する透過度計の放射線透過画像とグラフである。
【図６】フィルムデジタイジングを例にして画像の劣化の概念を説明する図である。
【図７Ａ】本発明の一実施の形態における鮮鋭化処理部の構成を示すブロック図である。
【図７Ｂ】本発明の一実施の形態におけるデジタル画像を鮮鋭化する処理の手順を示すフロー図である。
【図８】本発明の一実施の形態における画像鮮鋭化処理におけるパラメータの算出方法を示すフロー図である。
【図９】（ａ）は透過度計のデジタル画像、（ｂ）は透過度計のデジタル画像の輝度プロファイルを示すグラフである。
【図１０】本発明の一実施の形態における画像鮮鋭化処理におけるパラメータの算出方法の別の例を示すフロー図である。
【図１１】フィルム像に対するデジタル画像の劣化度定量化の概念を示す図である。
【図１２】本発明の一実施の形態における劣化度推定処理の一例を示すフロー図である。
【図１３】本発明の一実施の形態における欠陥判定部における画像鮮鋭化処理の流れを示すフロー図である。
【図１４】本発明の一実施の形態における欠陥判定部における画像鮮鋭化処理の別の例の処理の流れを示すフロー図である。
【図１５】本発明の一実施の形態における形状が既知な透過度計を利用してデジタル画像を鮮鋭化する処理の流れを示すフロー図である。
【図１６】本発明の一実施の形態における欠陥顕在化処理の流れを示すフロー図である。
【図１７】本発明の一実施の形態における欠陥顕在化処理の別の方法の処理の流れを示すフロー図である。
【図１８】本発明の一実施の形態における欠陥キャラクタライズ処理の流れを示すフロー図である。
【図１９】従来の放射線透過試験の構成（１９０）と、本発明の一実施の形態における一部に目視検査を入れたデジタル画像を用いた放射線透過試験の構成（１９４）と、本発明の一実施の形態における目視検査を取り入れないデジタル画像を用いた放射線透過試験の構成（２０１）とを示す図である。
【発明を実施するための形態】
【００１７】
以下、本発明の実施の形態を、原子力プラントの配管の検査で行われる放射線透過試験（以下、ＲＴ（Radiographic Testing）と記載）システムを例に、図面に基づいて詳細に説明する。
【００１８】
図１Ａは、本実施例に係る放射線透過デジタル画像を用いた検査装置１００の構成を示す。
【００１９】
本実施例に係る放射線透過デジタル画像を用いた検査装置１００は、デジタイザ保証部３と欠陥判定部６を備えている。
デジタイザ保証部３は、放射線透過試験により得られたフィルム像（アナログ画像）を図示していないデジタイザでデジタル化したデジタル画像やデータを外部から入力する入力部３０１、入力したデジタル画像に対して鮮鋭化処理を施す鮮鋭化処理部３０２、鮮鋭化したデジタル画像のフィルム画像に対する劣化度を推定する劣化度推定部３０３、鮮鋭化したデジタル画像について推定した劣化度に基づいて画像を等級付けするデジタル画像等級付部３０４を備えている。
欠陥判定部６は、放射線透過試験により得られた被検査試料のフィルム像（アナログ画像）を図示していないデジタイザでデジタル化したデジタル画像を入力する被検査試料デジタル画像入力部６０１、入力した被検査試料のデジタル画像に対して鮮鋭化処理を施す鮮鋭化処理部６０２、鮮鋭化処理を施したデジタル画像について欠陥を顕在化させる処理を施す欠陥顕在化処理部６０３、顕在化させた欠陥の特徴量を求める欠陥キャラクタライズ処理部６０４、検査の結果を出力する表示画面を備えた出力部６０５を備えている。また、出力部６０５は、図示していない通信回線を介して、検査の結果を外部の処理装置又は記憶装置に出力する。
上記構成を備えた放射線透過デジタル画像を用いた検査装置１００による、デジタル画像の処理フローの一実施例について、図１Ｂを用いて説明する。
【００２０】
デジタイザ保証部３においては、入力として、フィルム像１、基準値２を事前に受け付ける。フィルム像１は、形状が既知のパターンを含む放射線透過試験用の試験片（以後、透過度計と記述）を、被検査試料を検査する時と同じ撮像条件で撮像してフィルム上に転写された画像のことである。基準値２はデジタル画像の品質を等級付けする際の基準となる値である。本例の放射線透過試験システムでは、フィルム像１、基準値２を入力として、まず、デジタイザ保証部３にて、図示していないデジタイザが、検査に問題のない品質を確保した画像を得ることができているか定量的に保証するとともに、画像の鮮鋭化を行う上で必要となる処理条件を決定する。
【００２１】
その処理の一例として、まず、フィルム像１に撮像されたものと同一透過度計のデジタル画像を取得する（Ｓ１０１）。次に得られたデジタル画像を鮮鋭化する処理を行う（Ｓ１０２）。画像鮮鋭化処理Ｓ１０２は鮮鋭化に使用する各種パラメータを最適化するもので、算出された最適値（最適パラメータ４）が出力される。一方、画像鮮鋭化処理Ｓ１０２にて鮮鋭化された画像を使って、本来のフィルム像に対するデジタル画像の劣化度を推定し（Ｓ１０３）、劣化度に応じてデジタル画像を等級付けし、デジタイザの保証を行う（Ｓ１０４）。本実施例では、以上の処理構成にて、デジタイザにより得られるデジタル画像の品質を定量化する。
【００２２】
欠陥判定部６では、上記デジタイザ保証部３にてデジタイザにより得られるデジタル画像の品質が保証でき、かつ、画像鮮鋭化に使用するパラメータの最適値が算出された情報を受けて、被検査試料のデジタル画像を用いて欠陥が在るか否かの判定を行う。
【００２３】
欠陥判定部６では、まず、順次撮像される被検査試料の放射線透過試験により被検査試料を撮像して得られたフィルム像によるアナログ画像を、デジタイザ保証部３で保証されたデジタイザ（図示せず）でデジタル化されたデジタル画像５を入力する（Ｓ１０５）。ここで、デジタル画像５は、放射線透過試験のフィルム像に比べ、画像が劣化している可能性が高い。そこで、入力されたデジタル画像５に対し、ノイズ抑制と高解像度化処理を施し、フィルム像同等に鮮鋭化する（Ｓ１０６）。更にフィルム像同等に改善された画像に対し、溶接部などの背景パターンを除去し、欠陥を顕在化する（Ｓ１０７）。次に欠陥顕在化処理を施した画像について、欠陥の有無を判定し、欠陥があった場合、その寸法や面積、濃淡値、欠陥の種類などを算出する欠陥キャラクタライズ処理を行い（Ｓ１０８）、結果を出力部の画面上に表示する（Ｓ１０９）。
【００２４】
図２は、図１Ａで示した放射線透過デジタル画像を用いた検査装置１００の入力となるフィルム像１の撮影の一例を示す。２１は放射線源、２２は被検査試料で、放射線源２１は被検査試料２２に放射線を照射できる位置に配置されている。２３は透過度計で、放射線源２１側の被検査試料２２表面に置く。２４は検査フィルムで、放射線源２１とは反対側の被検査試料２２表面に配置する。フィルム撮像は放射線源２１から放射線を溶接部２５を含む被検査試料２２と透過度計２３に照射し、その透過した放射線で検査フィルム２４を感光させて、その透過像を写し込むことにより行われる。このようにして得られたものが図１のフィルム像１である。放射線透過試験においては、取得したフィルム像が欠陥を検出するために十分な解像度を保持しているかを確認するための指標として、被検査試料２２とともに透過度計をフィルムに写し込むことが一般的であるが、図１Ａに示す実施の形態では、透過度計のみの透過像を撮像してもよい。
【００２５】
放射線透過試験用透過度計のうち一般的なものはＪＩＳ Ｚ ２３０６−２０００「放射線透過試験用透過度計」で規格に定められた針金形透過度計、有孔形透過度計が挙げられるが、これ以外にも様々なパターンを含む透過度計の利用が進みつつある。図３はその例として、透過度計３１と透過度計３２とを示す。透過度計３１は、様々な幅の線（ライン）がライン幅と同様の間隔でペアで配置されたものであり、ペアのラインの分離性能から解像度を評価する。透過度計３２は、様々な径の円形パターンとＴ字パターンが配置されたものである。図１Ｂの例では、これらの透過度計３１又は３２を被検査試料２２とともに撮像したフィルムを入力とするが、本発明では、規格化された透過度計でなくても形状が既知であれば構わない。基本的には、透過度計３１又は３２の材質、種別は、被検査試料の材質、厚さに基づいて決定する。
【００２６】
図１Ｂに示した放射線透過デジタル画像を用いた検査装置１００の処理のフローにおいては、入力値として、更に基準値２を事前に受け付ける。これは、入力されたデジタル画像の品質を等級付けするためのテーブルである。図４にその一例を示す。４１は、２つの評価値１、評価値２の値により、デジタル画像の品質を１〜ｎに等級分けする際の、基準値テーブルの一例である。例えば、デジタル画像から、事前に決められた２つの評価値１，２を算出し、評価値１≧a1、かつ、評価値２≧b1であれば、その画像の等級を１に、評価値１≧a1、かつ、b1≧評価値２≧b2であれば、等級を２に決定する。これらの基準値テーブル４１のデータは、図１Ｂに示した画像鮮鋭化処理（Ｓ１０２、Ｓ１０６）にて使用する。
【００２７】
画像から算出する評価値の例としては、欧州規格ＥＮ１４０９６に規定される空間分解能（ＭＴＦ値）、欧州規格ＥＮ１４７８４に規定されるＳ/Ｎ比などがある。空間分解能（ＭＴＦ値）の算出方法の一例を図５に示す。５１は算出対象となる透過度計の放射線透過画像であり、ステップ面（輝度値がステップ状に変化する面）をもつ。このステップ面上（５２の破線上の画素）で輝度プロファイルを取得する。５３は、５２上の輝度プロファイルを示すグラフである。５４は、（数１）に示す通り、５３の各点について、隣接する点の輝度値との差分を求めたグラフである。５５は、プロファイル５４を（数２）に従い、フーリエ変換して算出した空間分解能（ＭＴＦ値）を示すグラフである。
【００２８】
【数１】
0005743933.tif 000002
【００２９】
【数２】
0005743933.tif 000003
本例では、画像の品質を等級付けるパラメータとして、欧州規格の評価値を示したが、画像の品質を表すものであれば何でもよい。
【００３０】
図１Ｂに示す放射線透過デジタル画像を用いた検査装置１００の処理フローにおいては、デジタイザ保証部３において、事前に入力された上記フィルム像１、もしくは、基準値２を用いて、欠陥判定に用いるデジタル画像をフィルム像と同一の画質に復元するため、画像処理パラメータを最適化する。まず、フィルム像１に撮像した透過度計３１又は３２と同一の透過度計のデジタル画像を、同じ撮像条件で取得する（Ｓ１０１）。放射線透過試験のデジタル画像の取得は、コンピューテッドラジオグラフィ（ＣＲ）、フラットパネルイメージセンサ（ＦＰＤ）、フィルム像を専用のフィルムスキャナで走査するフィルムデジタイジングを含み、これらで取得したデジタル画像はモニタに表示することができる。
【００３１】
ここで、放射線強度や放射線照射時間などの撮像条件が同一で、同じ透過度計を撮像した場合、フィルム像に比べ、デジタル画像の画質が劣化する可能性がある。図６は、フィルムデジタイジングを例に、デジタル化による劣化の一例を示したものである。６１は、例として２つの円形パターンを含む透過度計の放射線透過によるフィルム像である。６２は、フィルム像６１のａ−ｂ上の断面輝度波形である。実際には、フィルム像の輝度は数値で表せないため、６２はあくまで推定値である。
【００３２】
６３は、フィルム像６１がデジタル化される際の劣化の例を示す。６３において、フィルム像６１に対し点像広がり関数（ＰＳＦ）６４が畳み込まれること（Ｓ６０１）により、点像のボケが生じ、さらにノイズ６５が加算（Ｓ６０２）される。６６は、劣化（６３）の後のデジタル画像であり、６７がその断面輝度波形である。断面輝度波形６７の形状が乱れており、デジタル画像６６はフィルム像６１に比べて解像度が下がっていることを示す。Ｓ１０１で取得するデジタル画像は、デジタル画像６６のように劣化した画像である。
【００３３】
そこで、本実施例では、Ｓ１０２の画像鮮鋭化処理工程において、図７Ａに示すような画像処理パラメータ算出部７０１と、ノイズ除去部７０２と高解像度化処理部７０３とを備えた鮮鋭化処理部３０２で、図７Ｂに示すように、上記デジタル画像６６について、上記劣化モデル（図６）の逆演算により、フィルム像７２を推定する。
【００３４】
具体的には、画像処理パラメータ算出部７０１で後述するような方法で算出した画像処理パラメータを用いて、ノイズ除去部７０２でデジタル画像６６からノイズを除去し（Ｓ７０１）、高解像度化処理部７０３で、ノイズ除去後の画像７１について点像広がり関数（ＰＳＦ）を推定して逆演算することで高解像度化し（Ｓ７０２）、フィルム像と同等の鮮鋭化された画像７２を算出する。
【００３５】
図７Ｂで示したノイズ除去部７０２で行うノイズ除去処理（Ｓ７０１）の手法の例としては、フーリエ変換を用いた方法、ウェーブレット縮退を用いる方法などがある。本実施例では、ウェーブレット縮退によりノイズ除去を行う。簡単のために、1次元の信号g（t）で説明する。（数３）のように信号g（t）がウェーブレット変換により、スケーリング関数φ（t）とウェーブレット関数ψ（t）で展開される。
【００３６】
【数３】
0005743933.tif 000004
ここで、c（n）とd（j, n）は、それぞれスケーリング係数とウェーブレット係数である。また、j, nは、それぞれ解像度のレベルと整数シフトを表す。
【００３７】
結果として、信号成分は、少数の数値が大きいウェーブレット係数で、ノイズ成分は多数の数値が小さいウェーブレット係数で表現される。次に、各ウェーブレット係数d（j， n）に対して、ウェーブレット係数が閾値λ以下の値である場合はノイズとみなして閾値処理を施す。
（数４）、（数５）は、“ Hard thresholding ”と“ Soft thresholding ”である。
【００３８】
【数４】
0005743933.tif 000005
【００３９】
【数５】
0005743933.tif 000006
閾値処理を施したウェーブレット係数d '（j, n） = η（d）を用いて逆ウェーブレット変換することで、ノイズが除去された信号g'（t）を得る。信号g（t）から画像g（x, y）へ拡張しても同様である。以上のウェーブレット縮退によりノイズ除去を行う。
【００４０】
ここで、ウェーブレット変換として、本実施例では、２重ツリー複素ウェーブレット変換（DTCWT：Dual Tree Complex Wavelet Transformation）を用いる。また、閾値法としては、複素ウェーブレット係数の絶対値に対して、Soft thresholdingを適用する。なお、２重ツリー複素ウェーブレット変換のみならず、離散化ウェーブレット変換（DWT：Discrete Wavelet Transformation）やundecimated DWTなどを用いることもある。しきい値は、（数６）の通りに算出する。
【００４１】
【数６】
0005743933.tif 000007
図７Ｂの処理フローにおいて、ノイズ除去処理（Ｓ７０１）の後に高解像度化処理部７０３で行う高解像度化処理（Ｓ７０２）は、ノイズ除去画像７１に対し、点像広がり関数（ＰＳＦ）を推定し、デコンボリューション処理を施すことで、フィルム同等の品質を保持した鮮鋭化画像７２を生成する。本実施例では、デコンボリューションの方法として、（数７）（数８）の通り、ＲＬ法を適用する。
【００４２】
【数７】
0005743933.tif 000008
【００４３】
【数８】
0005743933.tif 000009
ここで、上述のノイズ除去（Ｓ７０１）、高解像度化（Ｓ７０２）の処理を行う上で、（数６）のノイズの標準偏差σ、係数k、（数７）の反復回数i、（数８）のＰＳＦの広がりwは、鮮鋭化画像７２の画質を左右する画像処理パラメータであり、画像処理パラメータ算出部７０１においてこれらのパラメータを最適化したデータを用いてノイズ除去処理（Ｓ７０１）、高解像度化処理（Ｓ７０２）を行う。
【００４４】
その処理の一例を、図８に示した画像鮮鋭化工程：Ｓ１０２の詳細なフローに従って説明する。図８に示した画像鮮鋭化工程：Ｓ１０２における画像処理パラメータの最適化処理の一例では、入力は、透過度計３１又は３２のフィルム像１と、Ｓ１０１で取得した同じ透過度計３１又は３２のデジタル画像８１である。まず、デジタル画像８１を用いて、２つのパラメータσ、wを算出する。
【００４５】
図９はその概要を示す。図９（ａ）は透過度計３１又は３２のデジタル画像８１中の透過度計３１又は３２の角の部分を含む画像であり、輝度の明るい部分が背景、暗い部分が透過度計３１又は３２である。透過度計３１又は３２のパターンがない、輝度値が一様な領域（例えば、矩形領域９１）で、（数９）の通り、輝度値の標準偏差を算出する（図８のＳ８０１）。そしてこれを（数６）のノイズの標準偏差σとする。
【００４６】
【数９】
0005743933.tif 000010
また、透過度計３１又は３２の垂直側面のエッジ部（例えば、破線９２上）で、（数８）のＰＳＦの広がりwを算出する。すなわち、破線９２の輝度プロファイル（図９の９３のグラフ）の微分したもの（図９の９４のグラフ）をガウス関数にフィッティングすることでＰＳＦを推定し、その広がりwを算出する（図８のＳ８０２）。以上のように形状が既知な透過度計３１又は３２のデジタル画像を用いて、２つの画像処理パラメータを決定する。
【００４７】
次に、残りの２つのパラメータk、iを算出する。これは、算出されたσ、w を用い、かつ、k、iの値を適宜与えて（k'、i'）上述のＳ７０１,Ｓ７０２の通りに鮮鋭化画像を生成する（Ｓ８０３）。ここで、生成された画像と事前に取得してある同一透過度計３１又は３２のフィルム像がほぼ同じ見え方になっていれば鮮鋭化ＯＫ（Ｙ）と判断し、ｋ、iを確定する（Ｓ８０４）。画質がフィルム像よりも劣化している場合（Ｎ）は、k'、i'の値を変更し（Ｓ８０５）、Ｓ８０３に戻って、再度鮮鋭化画像を生成する。これをk'、i'の値を特定の範囲で可変にして、鮮鋭化ＯＫとなるまで繰り返す。
【００４８】
ここで、鮮鋭化がＯＫかＮＧかの判断は、ユーザの目視判定を受け付けることで決定する。すなわち、本実施例では、鮮鋭化画像をモニタに表示し、ユーザの判断を受け付ける。ユーザは、モニタに表示された鮮鋭化画像とフィルム像１を見比べて、その判断を行う。
【００４９】
一方、本実施例では、画像処理パラメータ算出部７０１において行う画像処理パラメータの最適化処理（画像処理パラメータ算出処理（Ｓ７０１））を、ユーザの判断を受け付けずに行うこともできる。
【００５０】
その一例を図１０のフローに従って説明する。図１０に示したフローは、図８に示したフローの画像鮮鋭化工程：Ｓ１０２を、画像鮮鋭化工程：Ｓ１０２´と置き換えたものである。図１０の画像鮮鋭化工程：Ｓ１０２´において、入力は、図４に示した基準値２と、Ｓ１０１で取得した透過度計３１又は３２のデジタル画像８１である。まず、デジタル画像８１を用いて、２つのパラメータσ、wを算出する（Ｓ８０１、Ｓ８０２）。次に、残りの２つのパラメータk、iを算出する。これは、鮮鋭化画像生成工程（Ｓ８０３）において、Ｓ８０１及びＳ８０２で算出されたσ、w を用い、かつ、k、iの値を適宜与えて（k'、i'）上述のノイズ除去処理（Ｓ７０１）,及び高解像度化処理（Ｓ７０２）を行って鮮鋭化画像を生成する。ここまでは図８で示した処理と同じである。
【００５１】
次に、生成された鮮鋭化画像から、図４で示した基準値テーブル４１に定義されている１つ又は複数個の評価値を算出する（Ｓ１００１）。評価値は、前述のＭＴＦ値やＳ/Ｎ比など画質を評価するための値であれば何でもよい。そして算出した評価値について、図４の基準値テーブル４１を参照し、鮮鋭化画像の等級付けを行う（Ｓ１００２）。ここで、事前に設定した合格レベルの等級に入っていれば等級ＯＫ（Ｙ）と判断し、ｋ、iを確定する（Ｓ１００３）。画質がフィルム像よりも劣化している場合（Ｎ）は、k'、i'の値を変更し（Ｓ１００４）、再度、鮮鋭化画像を生成する。これをk'、i'の値を特定の範囲で可変にして、合格レベルになるまで繰り返す。
【００５２】
以上のようにして、取得したデジタル画像が、フィルム像同等の画質になるように、もしくは、高画質になるように画像処理パラメータの最適化を行う。
【００５３】
ここで、デジタイザ（図示せず）より得られた画像を用いて放射線透過試験を行う場合、一般的に行われてきたフィルム像による放射線透過試験に対し、その画像が、検査等を行う上で必要な品質を保っているかどうかを定量的に保証する必要がある。本実施例では、次に、最適化されたパラメータによる透過度計３１又は３２の鮮鋭化画像を用いて、フィルム像に対するデジタル画像の劣化度推定を行う（図１ＢのＳ１０３）。
【００５４】
図１１は、本実施例で用いる、フィルム像に対するデジタル画像の劣化度の定量化の概念について示す。１１０１はフィルム像である。１１０２は対応するデジタル画像である。１１０３，１１０４は、フィルム像１１０１、デジタル画像１１０２をそれぞれフーリエ変換（ＦＦＴ）して得られたパワースペクトル（周波数スペクトル）である。フィルム像１１０１に対し、デジタル画像１１０２の解像度が劣化していた場合、デジタル画像は高周波成分が落ちるため、両者のパワースペクトル１１０３，１１０４を比較（１１０５）することで、劣化の定量化が可能となる。しかし、現実には、フィルム像１１０１に対してデジタル処理をしてパワースペクトル１１０３を得ることはできない。
【００５５】
これに対し、本実施例では、デジタル画像１１０２を、上述の通りフィルム像と同レベルの画質に鮮鋭化し、それをフィルム像と仮定することで、パワースペクトル１１０３を得て、当該鮮鋭化画像とデジタル画像とを周波数空間（パワースペクトル）で比較（１１０５）することにより、フィルム像に対するデジタル画像の相対的な画質劣化度を定量化する。これにより、デジタイザの保証を行う。
【００５６】
図１２を用いて、図１Ｂの劣化度推定処理（Ｓ１０３）の一例を説明する。入力は、放射線透過によるデジタル画像１２１と画像鮮鋭化処理（Ｓ１０２）により得られた鮮鋭化画像１２０である。１２２，１２３は、１２０，１２１の画像をそれぞれフーリエ変換（ＦＦＴ）処理し（Ｓ１７，Ｓ１６）、得られたパワースペクトルである。
【００５７】
これら（１２２，１２３）に対し、劣化度推定処理（Ｓ１０３）において、差分演算（Ｓ１２０１）で差分（比較値）１２４を求める。そして、定量化処理（Ｓ１２０２）により、差分（比較値）１２４から、フィルム像に対するデジタル画像の劣化度１２５を算出する。なおここで、手法（機能）に応じて、劣化度１２５は、１つに限らず、２つ以上、算出することができる（２つ以上を算出する場合、区別のため、特徴量と称する）。
【００５８】
劣化度１２５の算出方法の一例として、下記の（数１０）の通り、最大周波数の差として求める。
【００５９】
【数１０】
0005743933.tif 000011
劣化度１２５の別の算出方法の例として、下記の（数１１）の通り、フィルム像に対する、差の割合の平均値として求めてもよい。
【００６０】
【数１１】
0005743933.tif 000012
数１０，数１１の算出例のいずれかでもよいし、両者を統合して算出してもよい。また別の値を算出してもよい。
【００６１】
そして算出した劣化度１２５が、合格範囲に入るか否かでデジタイザの保証を行う（Ｓ１０４）。
【００６２】
このようにして、図１Ａのデジタイザ保証部３にて、デジタイザ（図示せず）により得られる放射線透過画像の品質が保証でき、かつ、画像鮮鋭化に使用するパラメータの最適値が算出された後、順次撮像される被検査試料のデジタル画像５を入力として、欠陥判定部６で欠陥検査を行う。
【００６３】
欠陥判定部６に入力される被検査試料の被検査試料のデジタル画像５は、デジタイザの保証がされているとは言え、フィルム像に比べ画質の劣化が生じている可能性が高い。そこで、図１Ｂに示したフロー図で、デジタル画像５を入力（Ｓ１０５）した後、デジタイザ保証部で算出した最適パラメータ４（図８、もしくは図１０に示した手順に従って算出したσ、w、k、i ）を使用し、ノイズ抑制と高解像度化処理を施し、フィルム像同等に鮮鋭化する（Ｓ１０６）。
【００６４】
図１３は、本実施例の欠陥判定部６の鮮鋭化処理部６０２におけるによる鮮鋭化処理（Ｓ１０６）の一例を示す。鮮鋭化処理部６０２は、図７Ａで説明したデジタイザ保証部３の鮮鋭化処理部３０２と同じ構成を有している。具体的には、Ｓ１０５で入力した被検査試料の放射線透過によるデジタル画像１３１から、デジタイザ保証部３の画像鮮鋭化処理（Ｓ１０２）と同じ方法でノイズを除去する（Ｓ１３０１）。このとき、Ｓ１０２又はＳ１０２´で求めた最適パラメータ４のσ、kを使用する。ノイズ除去後の画像１３２について、デジタイザ保証部３の画像鮮鋭化処理（Ｓ１０２）と同じ方法で高解像度化し（Ｓ１３０２）、フィルム像と同等か、それ以上に鮮鋭化された画像１３３を生成する。このとき、Ｓ１０２又はＳ１０２´で求めた最適パラメータ４のw、iを使用する。
【００６５】
本実施例では、鮮鋭化処理（Ｓ１０６）を、入力される被検査試料の画像毎に、より高性能に行うこともできる。図１４は、本実施例の欠陥判定部６におけるによる鮮鋭化処理（Ｓ１０６）の別の例を示す。具体的には、図１３で説明したノイズ除去処理（Ｓ１３０１）、高解像度化処理（Ｓ１３０２）を行ってノイズ除去と鮮鋭化処理を行い、画像１３３を生成する。次に、Ｓ１０２又はＳ１０２´で求めた最適パラメータ４を用いて生成した鮮鋭化画像から、図４で示した基準値テーブルに定義されている１つ以上の複数個の評価値を算出する（Ｓ１４０１）。そして算出した評価値について、図４の基準値テーブル４１を参照し、鮮鋭化画像の等級付けを行う（Ｓ１４０２）。
【００６６】
ここで、事前に設定した合格レベルの等級に入っていれば等級ＯＫ（Ｙ）と判断し、ｋ、iを確定する（Ｓ１４０３）。画質がフィルム像よりも劣化している場合（Ｎ）は、k、iの値を変更し（Ｓ１４０４）、再度、鮮鋭化画像を生成する。これをk、iの値を特定の範囲で可変にして、合格レベルになるまで繰り返す。
【００６７】
本発明では、このように、デジタイザ保証部３で事前に最適化した画像処理パラメータ４を用いて、被検査試料の画像をフィルム像同等に鮮鋭化し、更に画像毎に基準値テーブル４１を参照し、より鮮鋭化された画像を作ることも可能である。
【００６８】
ここで、放射線透過試験においては、取得したフィルムの像、もしくはデジタル画像の解像度が欠陥を検出するために十分であることを確認するため、被検査試料と一緒に規格化された透過度計を撮像することが多い。本実施例では、このような被検査試料と一緒に撮像される、形状が既知な透過度計を利用してデジタル画像を鮮鋭化することも可能である。
【００６９】
その例を図１５に示す。１３１は入力された被検査試料のデジタル画像、１５１は、試料と一緒に撮像された透過度計３１又は３２の画像領域を示す。透過度計３１又は３２は規格化されたものでも、そうでなくても形状が既知のものであればよい。画像領域１５１について、上述の通りにウェーブレット縮退によるノイズ除去（図７（Ｓ７０１））を行い画像領域１５２を得て、画像領域１５２について、ＲＬ法によるデコンボリューション処理（図７（Ｓ７０２））を施し、鮮鋭化処理を行い画像領域１５３を得る。  
ここで、図９の通りに、（数６）のノイズの標準偏差σは透過度計３１又は３２のパターンがない部分から、（数８）のＰＳＦの広がりwは透過度計３１又は３２の垂直側面のエッジ部から算出する。（数６）の係数k、（数７）の反復回数iは、図１４の処理例と同様に、基準値テーブル４１を参照し、画像領域１５３から算出する評価値が事前に設定した合格レベルの等級に入るようにｋ、iを確定する。また、基準値テーブル４１を使用しない場合には、透過度計３１又は３２の形状が既知であることを利用し、画像領域１５３内の透過度計３１又は３２のデジタル形状が、理想の形状に近づくようにｋ、iを確定することもできる。そして、算出したｋ、iにより、被検査試料のデジタル画像１３１を鮮鋭化し、被検査試料の鮮鋭化したデジタル画像１３３を得る。
【００７０】
上記のようにしてフィルム像と同等に鮮鋭化したデジタル画像１３３から、本発明の実施例では、溶接部などの背景パターンを除去し、欠陥を顕在化する（Ｓ１０７）。溶接部の欠陥を検査する場合、溶接部の凹凸の模様の中にある微弱な欠陥パターンを精度よく検出する必要がある。このため、溶接部の凹凸による背景模様と欠陥を分離し、欠陥部を強調することで欠陥を顕在化する。
【００７１】
図１６にその処理の一例を示す。まず、Ｓ１０６にて生成される鮮鋭化された被検査試料のデジタル画像１３３について、被検査領域内で特徴量の分布を算出する（Ｓ１６０１）。特徴量は１つ以上の多数であり、各画素の輝度情報、形状情報、配置情報などを表すものであればよい。その一例としては、パターン認識分野で一般的に使われるＨＯＧ（Histograms of Oriented Gradients）特徴、Haar-like特徴、ＥＯＨ（Edge of Orientation Histograms）特徴、ＨＬＡＣ特徴などがある。
【００７２】
使用する特徴量を軸とする多次元の特徴空間に、各画素を自身の特徴量に応じてプロットすることで、特徴量分布を生成する（Ｓ１６０２）。そして、特徴空間において分布からのはずれ値を欠陥画素とする（Ｓ１６０３）。これは、溶接部の凹凸による背景模様と、欠陥では特徴が異なるという仮定のもとで行われる。そして、抽出された欠陥画素について、コントラストを強調（例えば、近傍画素との差が大きくなるように輝度値を上げるなど）を行い、欠陥を顕在化する（Ｓ１６０４）。これにより、欠陥顕在化画像１６１を得る。
【００７３】
欠陥顕在化処理の別の例としては、背景模様が特定の周波数成分を持つなどといったモデル化があらかじめできるのであれば、それを利用することも可能である。図１７に処理の一例を示す。まず、Ｓ１０６にて生成される鮮鋭化された被検査試料のデジタル画像１３３について、背景模様の推定を行い、推定背景画像１７１を生成する（Ｓ１７０１）。ここでは、背景模様が低周波成分をもつのであれば、低周波な濃度むらを抽出することで背景画像を推定する。そして、鮮鋭化画像１３３から推定背景画像１７１を減算することで（Ｓ１７０２）、背景模様を除外し、背景模様に埋没した微小欠陥を顕在化した画像１７２を得る。
【００７４】
次に、上記欠陥顕在化処理（Ｓ１０７）により生成された画像１６１、もしくは１７２に対し、欠陥が存在する場合、その寸法や面積、濃淡値、欠陥の種類などを算出する欠陥キャラクタライズ処理を行う（Ｓ１０８）。その一例を図１８に示す。まず、欠陥部の抽出処理を行う。入力は、欠陥顕在化処理（Ｓ１０７）により生成された画像１８１である。画像１８１に対し、事前に設定されているしきい値で（数１２）の通りに２値化し、欠陥部を抽出する（Ｓ１８０１）。
【００７５】
【数１２】
0005743933.tif 000013
更に、画像１８１を近傍画素の値を使って（数１３）の通りにコントラスト画像１８３を生成し、２値化し、事前に設定されているしきい値で（数１４）の通りに２値化し、欠陥部を抽出する（Ｓ１８０２）。
【００７６】
【数１３】
0005743933.tif 000014
【００７７】
【数１４】
0005743933.tif 000015
そして、画像１８２、１８４を用いて、欠陥画素を特定する（Ｓ１８０３）。これは２枚の画像の論理和をとる。もしくは論理積をとることで行う。そして、抽出された欠陥画素を矩形で囲み、矩形の長さを計測することで欠陥の寸法を算出する。また、矩形内の欠陥画素に対応する、画像１８１の輝度平均や輝度最大値を算出することで、欠陥の濃度値を算出する。更に、矩形内の欠陥画素から形状や分布などの特徴を抽出し、欠陥種を特定する。このように、欠陥画素から様々な特徴を抽出することで欠陥を定量的にキャラクタライズする（Ｓ１８０４）。
【００７８】
最後にこれらの途中処理の画像、抽出された欠陥、欠陥の特徴などは適宜、モニタに出力される（Ｓ１０９）。ここで、本発明の実施例により出力される結果を用いた検査の形態を説明する。図１９は検査の形態を従来のフィルムによる放射線透過試験（フィルムＲＴ）と比較して示したものである。１９０はフィルムによる放射線透過試験である。１９１は放射線透過装置で、被検査試料のフィルム像１９２を得る。フィルムＲＴでは、目視検査部１９３において、フィルム像を検査員（Ｕ）が目視確認し、欠陥判定や欠陥の寸法計測などを行う。すなわち目視官能検査である。一方、１９４はデジタル画像による放射線透過試験（デジタルＲＴ）である。１９５は放射線透過装置で、被検査試料のデジタル画像１９３を得る。
【００７９】
上述の通り、フィルム像１９２に比べ、デジタル画像１９６は画質の劣化が生じている可能性が高い。このため本実施例による鮮鋭化処理１９７によりフィルム像と同等かそれ以上の高画質化されたデジタル画像１９８を得る。また、デジタル画像１９８から欠陥顕在化処理により、欠陥を強調した画像１９９を得る。１９４の検査の形態によるデジタルＲＴにおいては、これらのデジタル画像１９６、１９８，１９９をモニタ出力し、これらのデジタル画像を目視検査部２００において、検査員（Ｕ）が目視確認し、欠陥判定や欠陥の寸法計測などを行う。すなわち、本発明によるデジタル画像を目視検査の支援に用いる。２０１は更に検査の自動化が進んだデジタルＲＴである。１９５は放射線透過装置で、被検査試料のデジタル画像１９３を得る。そして、本発明による鮮鋭化処理１９７によりフィルム像と同等かそれ以上の高画質化されたデジタル画像１９８を得る。ここまではデジタルＲＴ１９４と同様である。２０１の形態によるデジタルＲＴにおいては、自動検査部２０２において、デジタル画像１９８を用いて欠陥判定、欠陥の寸法計測といったキャラクタライズまでを自動で行う。
【００８０】
以上に説明した通り、本発明によるデジタルＲＴの検査形態を実現することで、デジタイザや、デジタイザにより得られたデジタル画像が検査に適した品質を保っていることを定量的に保証できる。また、検査員の技能の違いによる結果のばらつきを低減することが可能となる。また、遠隔検査が可能となり、特に海外でのプラント建設などにおいて、現地に検査員を派遣する必要がなくなる。
【００８１】
上記に説明した実施例は本発明の一実施の形態を説明するものであって、本発明はこれに限定されるものではない。すなわち、上記実施例で説明した構成（ステップ）の一部をそれと等価な機能を有するステップ又は手段で置き換えたものも、または、実質的でない機能の一部を省略したものも本発明に含まれる。
【符号の説明】
【００８２】
１００・・・放射線透過試験システム    ３・・・デジタイザ保証部    ３０１・・・入力部    ３０２・・・鮮鋭化処理部    ３０３・・・劣化度推定部    ３０４・・・デジタル画像等級付部    ６・・・欠陥判定部    ６０１・・・被検査試料デジタル画像入力部    ６０２・・・鮮鋭化処理部    ６０３・・・欠陥顕在化処理部    ６０４・・・欠陥キャラクタライズ処理部    ６０５・・・出力部。
【図１Ａ】
0005743933.tif 000016
【図１Ｂ】
0005743933.tif 000017
【図２】
0005743933.tif 000018
【図３】
0005743933.tif 000019
【図４】
0005743933.tif 000020
【図５】
0005743933.tif 000021
【図６】
0005743933.tif 000022
【図７Ａ】
0005743933.tif 000023
【図７Ｂ】
0005743933.tif 000024
【図８】
0005743933.tif 000025
【図９】
0005743933.tif 000026
【図１０】
0005743933.tif 000027
【図１１】
0005743933.tif 000028
【図１２】
0005743933.tif 000029
【図１３】
0005743933.tif 000030
【図１４】
0005743933.tif 000031
【図１５】
0005743933.tif 000032
【図１６】
0005743933.tif 000033
【図１７】
0005743933.tif 000034
【図１８】
0005743933.tif 000035
【図１９】
0005743933.tif 000036